(57)【特許請求の範囲】
【請求項１】
ビスと、器具が前記ビスを用いて取り付け固定される配線ボックスとからなる、配線ボックス装置であって、
前記配線ボックスは、ボックス本体と、前記ビスを固定するためのビス固定具とからなり、
前記ボックス本体は、前記器具が取り付けられる器具取付部を備え、
前記器具取付部は、前記ビスが挿入されるビス挿入孔と、そのビス挿入孔に連通して前記ビス固定具が収容される収容部とを有し、
前記ビス固定具は、前記ビス挿入孔に向かって延設される弾性片を備え、その弾性片の先端部分が、前記ビス挿入孔に挿入された前記ビスのビス軸外周面に係合してそのビスを抜け止め状態に係止する係止部となり、かつ、
前記弾性片は、前記ビス軸外周面に係合する前から、前記ビスのビス軸心に対する角度が４５°以内にあるように、前記ビスの前記ビス挿入孔への挿入方向へ向けて傾斜しており、前記角度が、前記ビス軸外周面に係合する前の前記角度以下となって、前記ビス軸外周面に係合するよう構成され、さらに、
前記弾性片の先端は、前記ビス挿入孔に挿入された前記ビスのビス軸外周面に沿うように、弧状に形成されるとともに、その弧状部分の両側においては、前記係止部は、前記ビス軸心との角度が大きくなるよう折れ曲がって形成されていることを特徴とする、配線ボックス装置。
【請求項２】
前記ビス固定具は、一対の側板部とそれら側板部の一側を連結する連結板部とで全体がほぼＵ字状あるいはほぼコ字状に形成された基体を備え、
前記連結板部は、前記ビスが挿通される通孔を備えて、前記ビスの挿入方向に交差するように配置され、
前記側板部は、前記ビス挿入孔に挿入された前記ビスの側方に、そのビスを挟むように立設され、
前記弾性片は、前記側板部から延設されることを特徴とする、請求項１に記載の配線ボックス装置。
【請求項３】
前記ビス固定具は、金属製であることを特徴とする、請求項１または２に記載の配線ボックス装置。
【請求項４】
前記ビス軸外周面のねじ山の、ビス軸基端側となる第１面は、ビス軸先端側となる第２面より、前記ビス軸心に対する角度が大となっていることを特徴とする、請求項１ないし３のいずれか１項に記載の配線ボックス装置。
【請求項５】
前記ビス軸外周面に係合している前記弾性片の、前記ビス軸心に対する角度は、前記ビス軸外周面のねじ山の、ビス軸先端側となる第２面の、前記ビス軸心に対する角度以上であることを特徴とする、請求項１ないし４のいずれか１項に記載の配線ボックス装置。
【請求項６】
器具がビスを用いて取り付け固定される配線ボックスの器具取付部に収容されて、前記ビスを固定するための、ビス固定具であって、
前記器具取付部のビス挿入孔に向かって延設される弾性片を備え、その弾性片の先端部分が、前記ビス挿入孔に挿入された前記ビスのビス軸外周面に係合してそのビスを抜け止め状態に係止する係止部となり、かつ、
前記弾性片は、前記ビス軸外周面に係合する前から、前記ビスのビス軸心に対する角度が４５°以内にあるように、前記ビスの前記ビス挿入孔への挿入方向へ向けて傾斜しており、前記角度が、前記ビス軸外周面に係合する前の前記角度以下となって、前記ビス軸外周面に係合するよう構成され、さらに、
前記弾性片の先端は、前記ビス挿入孔に挿入された前記ビスのビス軸外周面に沿うように、弧状に形成されるとともに、その弧状部分の両側においては、前記係止部は、前記ビス軸心との角度が大きくなるよう折れ曲がって形成されていることを特徴とする、ビス固定具。
【請求項７】
器具がビスを用いて取り付け固定される配線ボックスであって、
ボックス本体と、前記ビスを固定するためのビス固定具とからなり、
前記ボックス本体は、前記器具が取り付けられる器具取付部を備え、
前記器具取付部は、前記ビスが挿入されるビス挿入孔と、そのビス挿入孔に連通して前記ビス固定具が収容される収容部とを有し、
前記ビス固定具は、前記ビス挿入孔に向かって延設される弾性片を備え、その弾性片の先端部分が、前記ビス挿入孔に挿入された前記ビスのビス軸外周面に係合してそのビスを抜け止め状態に係止する係止部となり、かつ、
前記弾性片は、前記ビス軸外周面に係合する前から、前記ビスのビス軸心に対する角度が４５°以内にあるように、前記ビスの前記ビス挿入孔への挿入方向へ向けて傾斜しており、前記角度が、前記ビス軸外周面に係合する前の前記角度以下となって、前記ビス軸外周面に係合するよう構成され、さらに、
前記弾性片の先端は、前記ビス挿入孔に挿入された前記ビスのビス軸外周面に沿うように、弧状に形成されるとともに、その弧状部分の両側においては、前記係止部は、前記ビス軸心との角度が大きくなるよう折れ曲がって形成されていることを特徴とする、配線ボックス。
【発明の詳細な説明】
【技術分野】
【０００１】
この発明は、器具がビスを用いて取り付け固定される配線ボックス装置、ビス固定具、および配線ボックスに関するものである。
【背景技術】
【０００２】
従来、配線ボックスとして、図１１に示されるものがあった（例えば、特許文献１参照）。この配線ボックス１４は、建物の壁１１の裏側に配備されるものであって、配線ボックス１４には、器具１２がビス１３を用いて取り付け固定された。ここで、配線ボックス１４は、ボックス本体１５の周壁１５ａから内側へ突出したボス部１５ｂを備えており、そのボス部１５ｂに、ビス１３を固定するためのビス固定具１６が収容されていた。そして、このビス固定具１６は、基板部１６ａから延設された弾性片１６ｂを備えており、その弾性片１６ｂが、ボス部１５ｂの挿入孔１５ｃに挿入されたビス１３の雄ねじに係合することで、そのビス１３の抜けを阻止した。
【０００３】
【特許文献１】特開２００７−７４８０８号
【発明の開示】
【発明が解決しようとする課題】
【０００４】
ところで、前記従来の配線ボックス１４にあっては、ビス１３を、ボス部１５ｂの挿入孔１５ｃに押し込んだ後に、締め込むように回動すると、ビス固定具１６の弾性片１６ｂが、ビス頭部１３ａ側に反り返るように変形してしまい、しっかりと締め込むことができない虞があった。
【０００５】
この発明は、上記した従来の欠点を解決するためになされたものであり、その目的とするところは、ビスをしっかりと締め込むことができる配線ボックス装置、ビス固定具、および配線ボックスを提供することにある。
【課題を解決するための手段】
【０００６】
この発明に係る配線ボックス装置、ビス固定具、および配線ボックスは、前記目的を達成するために、次の構成からなる。すなわち、
請求項１に記載の発明に係る配線ボックス装置は、ビスと、器具が前記ビスを用いて取り付け固定される配線ボックスとからなる。ここにおいて、前記配線ボックスは、ボックス本体と、前記ビスを固定するためのビス固定具とからなる。そして、前記ボックス本体は、前記器具が取り付けられる器具取付部を備える。さらに、前記器具取付部は、前記ビスが挿入されるビス挿入孔と、そのビス挿入孔に連通して前記ビス固定具が収容される収容部とを有する。一方、前記ビス固定具は、前記ビス挿入孔に向かって延設される弾性片を備え、その弾性片の先端部分が、前記ビス挿入孔に挿入された前記ビスのビス軸外周面に係合してそのビスを抜け止め状態に係止する係止部となる。そこで、前記弾性片は、前記ビス軸外周面に係合する前から、前記ビスのビス軸心に対する角度が４５°以内にあるように、前記ビスの前記ビス挿入孔への挿入方向へ向けて傾斜しており、前記角度が、前記ビス軸外周面に係合する前の前記角度以下となって、前記ビス軸外周面に係合するよう構成される。さらに、前記弾性片の先端は、前記ビス挿入孔に挿入された前記ビスのビス軸外周面に沿うように、弧状に形成されるとともに、その弧状部分の両側においては、前記係止部は、前記ビス軸心との角度が大きくなるよう折れ曲がって形成される。
【０００７】
これにより、配線ボックスに器具を取り付けるには、ボックス本体の器具取付部に設けられたビス挿入孔に、ビスを押し込むようにして挿入する。こうすることで、器具取付部の収容部に収容されたビス固定具の弾性片の先端部分の係止部が、ビス軸外周面に係合してビスを抜け止め状態にする。そこで、ビスを締め込むように回動すると、ビス軸外周面に係合した弾性片が、ビスの抜け方向へ撓もうとする。しかし、ビス軸外周面に係合する前から、ビス軸心に対する角度が４５°以内にあり、その角度が、ビス軸外周面に係合する前の前記角度以下となって、ビス軸外周面に係合する、弾性片は、この撓みに対する突っ張り力が大きく、撓みに対して強く抵抗するため、ビスは、ビス固定具、ひいては器具取付部にしっかりと締め込まれる。このようにして、ビスがボックス本体の器具取付部に確実に固定され、器具は、配線ボックスに強固に取り付け固定される。
【０００８】
また、請求項２に記載の発明に係る配線ボックス装置は、請求項１に記載の配線ボックス装置において、前記ビス固定具は、一対の側板部とそれら側板部の一側を連結する連結板部とで全体がほぼＵ字状あるいはほぼコ字状に形成された基体を備える。そこで、前記連結板部は、前記ビスが挿通される通孔を備えて、前記ビスの挿入方向に交差するように配置される。そして、前記側板部は、前記ビス挿入孔に挿入された前記ビスの側方に、そのビスを挟むように立設され、前記弾性片は、前記側板部から延設される。
【０００９】
また、請求項３に記載の発明に係る配線ボックス装置は、請求項１または２に記載の配線ボックス装置において、前記ビス固定具は、金属製となっている。
【００１０】
また、請求項４に記載の発明に係る配線ボックス装置は、請求項１ないし３のいずれか１項に記載の配線ボックス装置において、前記ビス軸外周面のねじ山の、ビス軸基端側となる第１面は、ビス軸先端側となる第２面より、前記ビス軸心に対する角度が大となっている。このように、ねじ山における第１面の角度と第２面の角度を設定することで、ねじ山の第１面に係合する弾性片によってビスを的確に係止することができる。
【００１１】
また、請求項５に記載の発明に係る配線ボックス装置は、請求項１ないし４のいずれか１項に記載の配線ボックス装置において、前記ビス軸外周面に係合している前記弾性片の、前記ビス軸心に対する角度は、前記ビス軸外周面のねじ山の、ビス軸先端側となる第２面の、前記ビス軸心に対する角度以上となっている。このように、弾性片の角度とねじ山の第２面の角度との関係を設定することで、弾性片をねじ山の第１面に深く係合させることができる。
【００１２】
また、請求項６に記載の発明に係るビス固定具は、器具がビスを用いて取り付け固定される配線ボックスの器具取付部に収容されて、前記ビスを固定するための、ビス固定具である。このビス固定具は、前記器具取付部のビス挿入孔に向かって延設される弾性片を備え、その弾性片の先端部分が、前記ビス挿入孔に挿入された前記ビスのビス軸外周面に係合してそのビスを抜け止め状態に係止する係止部となる。そして、前記弾性片は、前記ビス軸外周面に係合する前から、前記ビスのビス軸心に対する角度が４５°以内にあるように、前記ビスの前記ビス挿入孔への挿入方向へ向けて傾斜しており、前記角度が、前記ビス軸外周面に係合する前の前記角度以下となって、前記ビス軸外周面に係合するよう構成される。さらに、前記弾性片の先端は、前記ビス挿入孔に挿入された前記ビスのビス軸外周面に沿うように、弧状に形成されるとともに、その弧状部分の両側においては、前記係止部は、前記ビス軸心との角度が大きくなるよう折れ曲がって形成される。
【００１３】
これにより、このビス固定具が設けられた配線ボックスに器具を取り付けるには、配線ボックスの器具取付部に設けられたビス挿入孔に、ビスを押し込むようにして挿入する。こうすることで、器具取付部に収容されたビス固定具の弾性片の先端部分の係止部が、ビス軸外周面に係合してビスを抜け止め状態にする。そこで、ビスを締め込むように回動すると、ビス軸外周面に係合した弾性片が、ビスの抜け方向へ撓もうとする。しかし、ビス軸外周面に係合する前から、ビス軸心に対する角度が４５°以内にあり、その角度が、ビス軸外周面に係合する前の前記角度以下となって、ビス軸外周面に係合する、弾性片は、この撓みに対する突っ張り力が大きく、撓みに対して強く抵抗するため、ビスは、ビス固定具、ひいては器具取付部にしっかりと締め込まれる。このようにして、ビスが配線ボックスの器具取付部に確実に固定され、器具は、配線ボックスに強固に取り付け固定される。
【００１４】
また、請求項７に記載の発明に係る配線ボックスは、器具がビスを用いて取り付け固定される配線ボックスであって、ボックス本体と、前記ビスを固定するためのビス固定具とからなる。ここにおいて、前記ボックス本体は、前記器具が取り付けられる器具取付部を備える。そして、前記器具取付部は、前記ビスが挿入されるビス挿入孔と、そのビス挿入孔に連通して前記ビス固定具が収容される収容部とを有する。一方、前記ビス固定具は、前記ビス挿入孔に向かって延設される弾性片を備え、その弾性片の先端部分が、前記ビス挿入孔に挿入された前記ビスのビス軸外周面に係合してそのビスを抜け止め状態に係止する係止部となる。そこで、前記弾性片は、前記ビス軸外周面に係合する前から、前記ビスのビス軸心に対する角度が４５°以内にあるように、前記ビスの前記ビス挿入孔への挿入方向へ向けて傾斜しており、前記角度が、前記ビス軸外周面に係合する前の前記角度以下となって、前記ビス軸外周面に係合するよう構成される。さらに、前記弾性片の先端は、前記ビス挿入孔に挿入された前記ビスのビス軸外周面に沿うように、弧状に形成されるとともに、その弧状部分の両側においては、前記係止部は、前記ビス軸心との角度が大きくなるよう折れ曲がって形成される。
【００１５】
これにより、この配線ボックスに器具を取り付けるには、ボックス本体の器具取付部に設けられたビス挿入孔に、ビスを押し込むようにして挿入する。こうすることで、器具取付部の収容部に収容されたビス固定具の弾性片の先端部分の係止部が、ビス軸外周面に係合してビスを抜け止め状態にする。そこで、ビスを締め込むように回動すると、ビス軸外周面に係合した弾性片が、ビスの抜け方向へ撓もうとする。しかし、ビス軸外周面に係合する前から、ビス軸心に対する角度が４５°以内にあり、その角度が、ビス軸外周面に係合する前の前記角度以下となって、ビス軸外周面に係合する、弾性片は、この撓みに対する突っ張り力が大きく、撓みに対して強く抵抗するため、ビスは、ビス固定具、ひいては器具取付部にしっかりと締め込まれる。このようにして、ビスがボックス本体の器具取付部に確実に固定され、器具は、配線ボックスに強固に取り付け固定される。
【発明の効果】
【００１６】
この発明に係る配線ボックス装置、ビス固定具、および配線ボックスによれば、ビスをビス挿入孔に挿入して、ビスを締め込むように回動したとき、ビス軸外周面に係合する前から、ビス軸心に対する角度が４５°以内にあり、その角度が、ビス軸外周面に係合する前の前記角度以下となって、ビス軸外周面に係合する、弾性片が、自身の撓みに対して強く抵抗するため、ビスを器具取付部にしっかりと締め込むことができる。
【発明を実施するための最良の形態】
【００１７】
以下、この発明を実施するための最良の形態を図面に基づいて説明する。
【００１８】
図１〜図５は、本発明の一実施の形態を示す。図中符号１は、建物の壁である。２は、器具であって、コンセントとかスイッチ等の配線器具２ａ（器具本体）が保持パネル２ｂに取り付けられてなる。３は、ビスである。４は、前記器具２がビス３を用いて取り付け固定される配線ボックスである。１０は、前記ビス３と前記配線ボックス４とからなる配線ボックス装置である。
【００１９】
ここで、器具２においては、保持パネル２ｂが枠状に形成されており、その枠内に、配線器具２ａが取り付けられる。そして、保持パネル２ｂには、その各側、例えば上下の各側に、ビス３が挿通される孔２ｃが形成されている。
【００２０】
配線ボックス４は、ボックス本体５と、前記ビス３を固定するためのビス固定具６とからなる。ここにおいて、ボックス本体５は、前記器具２が取り付けられる器具取付部５ａを備える。この器具取付部５ａは、前記ビス３が挿入されるビス挿入孔５ｂと、そのビス挿入孔５ｂに連通してビス固定具６が収容される収容部５ｃとを有する。一方、ビス固定具６は、ビス挿入孔５ｂに向かって延設される弾性片６ａを備え、その弾性片６ａの先端部分が、ビス挿入孔５ｂに挿入されたビス３のビス軸外周面３ａに係合してそのビス３を抜け止め状態に係止する係止部６ｂとなっている。そして、弾性片６ａは、ビス３のビス軸心３ｂに対する角度Ａ３が４５°以内にあるように、ビス３のビス挿入孔５ｂへの挿入方向Ｐへ向けて傾斜した状態で、ビス軸外周面３ａに係合するよう構成されている。
【００２１】
ところで、ビス軸心３ｂに対する弾性片６ａの角度Ａ３は、弾性片６ａがビス軸外周面３ａに係合する前から、つまりビス固定具６が単独の状態で、４５°以内にあるのが好ましい。こうすることで、ビス３をビス挿入孔５ｂに挿入する際、弾性片６ａは、ビス３に押されて容易に変形し、この挿入がし易くなる。そして、角度Ａ３は、弾性片６ａがビス軸外周面３ａに係合したときには、係合する前の角度以下となることから、角度Ａ３が、弾性片６ａがビス軸外周面３ａに係合する前において４５°以内にあれば、係合したときには、当然に４５°以内にある。
【００２２】
具体的には、ボックス本体５は、例えば合成樹脂製であって、前側が開放された箱形形状、例えば直方体形状をしている。そこで、前記器具取付部５ａは、ボックス本体５の周壁５ｅの前端部分から、内側に突出するようにして形成される。そして、この器具取付部５ａに、ボックス本体５の前側から後方に向かって、前記ビス挿入孔５ｂが形成される。さらに、器具取付部５ａには、前記収容部５ｃが、ビス挿入孔５ｂと交差する方向に延設されて、その交差する方向に開口するよう形成されている。詳細には、収容部５ｃは、ビス挿入孔５ｂと直交する方向に延設されて、その直交する方向に開口（図示実施の形態においては、ボックス本体５の周壁５ｅ外面に開口）している。そして、この収容部５ｃは、図３に示すように、前側の幅広部５ｆと、後ろ側の幅狭部５ｇとから構成されている。
【００２３】
ビス固定具６は、金属製であって、ばね性を有する板材、例えば、鋼板とか銅合金板等の金属板からなる。このビス固定具６は、ビス３の挿入方向Ｐに並ぶ二つの基板部６ｃ、６ｃと、それら基板部６ｃ、６ｃを一側で連結する連結片６ｄと、各基板部６ｃから延設される前記弾性片６ａとからなる。詳細には、各基板部６ｃは、ビス軸心３ｂに対して直交位置し、基板部６ｃには、ビス３が挿通される孔６ｅが明けられている。そして、弾性片６ａは、基板部６ｃにおける孔６ｅの周縁（詳しくは、連結片６ｄとは反対側の周縁）からその基板部６ｃと平行となるように延設される第１弾性部６ｆと、先端側ほどビス３の挿入方向Ｐ側に位置するように、前記第１弾性部６ｆから折れ曲がってビス３の挿入方向Ｐ側に傾くようにして延設される第２弾性部６ｇとからなる。そして、この第２弾性部６ｇの先端部分が、ビス３を抜け止め状態に係止する前記係止部６ｂとなり、この第２弾性部６ｇが、ビス軸心３ｂに対する角度Ａ３が４５°以内にあるように、ビス３のビス挿入孔５ｂへの挿入方向Ｐへ向けて傾斜した状態で、ビス軸外周面３ａに係合することとなる。そして、弾性片６ａの先端、つまり第２弾性部６ｇの先端は、ビス挿入孔５ｂに挿入されたビス３のビス軸外周面３ａに沿うように、弧状に形成されるとともに、弾性片６ａの係止部６ｂは、弧状部分の両側においては、ビス軸心３ｂとの角度が大きくなるよう折れ曲がって形成されている（図２、図４参照）。
【００２４】
このような構成のビス固定具６は、器具取付部５ａに設けられた収容部５ｃに収容されるが、このとき、ビス固定具６の大半は、幅広部５ｆに収容され、第２弾性部６ｇ、６ｇのうちの、ビス３の挿入方向Ｐ側の第２弾性部６ｇのみが、幅狭部５ｇに収容される（図３参照）。
【００２５】
ビス３にあっては、通常のメートルねじではなく専用のねじが用いられる。このビス３は、図５に示すように、ねじ山が異形形状をしており、ビス軸外周面３ａにおけるねじ山の、ビス軸基端側（つまり、ビス３の頭部側）となる第１面３ｃは、ビス軸先端側となる第２面３ｄより、ビス軸心３ｂに対する角度が大となっている。その一方で、ビス軸外周面３ａに係合している弾性片６ａの、ビス軸心３ｂに対する角度Ａ３は、前記第２面３ｄの、ビス軸心３ｂに対する角度Ａ２以上となっている。詳細には、前記第１面３ｃの、ビス軸心３ｂに対する角度Ａ１は、例えば、９０°であって、前記第２面３ｄの、ビス軸心３ｂに対する角度Ａ２は、例えば、３０°となっている。そこで、ビス軸外周面３ａに係合している弾性片６ａ（詳しくは、第２弾性部６ｇ）の、ビス軸心３ｂに対する角度Ａ３は、３０°〜４５°の範囲内となる。
【００２６】
次に、以上の構成からなる配線ボックス４および配線ボックス装置１０の作用効果について説明する。この配線ボックス４は、予め、壁１の裏側の柱等に、木ねじ等の固着具により取り付けられている。そこで、この配線ボックス４に器具２を取り付けるには、配線ボックス４に対応して壁１に明けられた壁孔１ａ部分における、壁１の表面に、器具２を宛がう。その後、ビス３を器具２（詳細には、保持パネル２ｂ）に明けられた孔２ｃに通し、続いて、ボックス本体５の器具取付部５ａに設けられたビス挿入孔５ｂに、ビス３を押し込むようにして挿入する。こうすることで、器具取付部５ａの収容部５ｃに収容されたビス固定具６における弾性片６ａの先端部分の係止部６ｂが、ビス軸外周面３ａに係合してビス３を抜け止め状態にする。そこで、ビス３を締め込むように回動すると、ビス軸外周面３ａに係合した弾性片６ａが、ビス３の抜け方向Ｑへ撓もうとする。しかし、ビス軸心３ｂに対する角度Ａ３が４５°以内にある弾性片６ａは、この撓みに対する突っ張り力が大きく、撓みに対して強く抵抗し、このため、ビス３は、ビス固定具６、ひいては器具取付部５ａにしっかりと締め込まれる。すなわち、ビス３をビス挿入孔５ｂに挿入して、ビス３を締め込むように回動したとき、ビス軸心３ｂに対する角度Ａ３が４５°以内にある弾性片６ａが、自身の撓みに対して強く抵抗するため、ビス３を器具取付部５ａにしっかりと締め込むことができる。そして、これによって、ビス３がボックス本体５の器具取付部５ａに確実に固定され、器具２は、配線ボックス４に強固に取り付け固定される。
【００２７】
また、ビス固定具６は、金属製であることから、弾性片６ａにおける弾性力を高めることができるとともに、その弾性力を長期に渡って保つことができる。
【００２８】
また、ビス３にあっては、ねじ山における、ビス軸基端側となる第１面３ｃを、ビス軸先端側となる第２面３ｄより、ビス軸心３ｂに対する角度を大となるよう設定することで、つまりＡ１＞Ａ２とすることで、ビス軸外周面３ａにおけるねじ山の前記第１面３ｃに係合する弾性片６ａによってビス３を的確に係止することができる。そして、ビス軸外周面３ａに係合している弾性片６ａの、ビス軸心３ｂに対する角度Ａ３を、第２面３ｄの、ビス軸心３ｂに対する角度Ａ２以上となるよう設定することで、弾性片６ａを、ねじ山の第１面３ｃに深く係合させることができる。
【００２９】
なお、本発明は、上述した実施の形態に限定されるわけではなく、その他種々の変更が可能である。例えば、ボックス本体５は、一体に形成されたものでなくとも、例えば、箱形のボックス部材と、そのボックス部材の前面に取り付けられる枠部材とからなる等、複数部材が組み合わされて形成されてもよい。
【００３０】
また、ビス固定具６は、基板部６ｃおよび弾性片６ａを、ビス３の挿入方向Ｐに並ぶようにして二つ備えているが、基板部６ｃおよび弾性片６ａを一つ備えるものであってもよく、また、三つ以上備えるものであってもよい。また、弾性片６ａは、一つの基板部６ｃにつき一つ設けられているが、複数設けられてもよい。すなわち、弾性片６ａは、例えば、ビス３を挟んで対向するように一対設けられたり、放射状に三つ以上設けられたりしてもよい。
【００３１】
また、ビス固定具６は、図６および図７に示すように、一対の側板部６ｈ、６ｈとそれら側板部６ｈ、６ｈの一側を連結する連結板部６ｉとで全体がほぼＵ字状もしくはほぼコ字状に形成された基体６ｊを備えてもよい。ここで、連結板部６ｉは、ビス３が挿通される通孔６ｋを備えて、ビス３の挿入方向Ｐに交差するように配置される。側板部６ｈ、６ｈは、ビス挿入孔５ｂに挿入されたビス３の側方に、そのビス３を挟むように立設される。そして、弾性片６ａは、この側板部６ｈからビス軸外周面３ａへ向けて（つまり、内側へ向けて）延設される。ここにおいて、連結板部６ｉは、側板部６ｈ、６ｈの、ビス３の挿入方向Ｐ側を連結しているが、図８および図９に示すように、側板部６ｈ、６ｈの、ビス３の抜け方向Ｑ側を連結してもよい。また、弾性片６ａは、各側板部６ｈに一つ設けられているが、図１０に示すように、各側板部６ｈに、ビス３の挿入方向Ｐに並ぶようにして二つ設けられてもよく、また、三つ以上設けられてもよい。また、弾性片６ａは、それぞれの側板部６ｈ、６ｈで、設けられる数が同じでなくともよい。
【００３２】
また、ビス固定具６における弾性片６ａの、ビス軸心３ｂに対する角度Ａ３は、３０°〜４５°の範囲内となっていなくとも、３０°未満であってもよい。
【００３３】
また、ビス軸外周面３ａにおけるねじ山の、第１面の角度Ａ１および第２面の角度Ａ２は、前述の値に限定されるものではないのは勿論である。
【００３４】
また、ビス３は、ねじ山が異形形状をしていなくとも、通常のメートルねじ等であっても構わない。
【図面の簡単な説明】
【００３５】
【図１】この発明の一実施の形態の、縦断面図である。
【図２】同じく、図１におけるＡ部拡大図である。
【図３】同じく、図２におけるＢ矢視図である。
【図４】同じく、図２におけるＣ−Ｃ線による断面図である。
【図５】同じく、図２におけるＤ部拡大図である。
【図６】この発明の他の実施の形態の、要部拡大断面図である。
【図７】同じく、図６におけるＥ矢視図である。
【図８】この発明のさらに他の実施の形態の、要部拡大断面図である。
【図９】同じく、図８におけるＦ矢視図である。
【図１０】この発明のさらに他の実施の形態の、要部拡大断面図である。
【図１１】従来の配線ボックスを示す縦断面図である。
【符号の説明】
【００３６】
２  器具
３  ビス
３ａ  ビス軸外周面
３ｂ  ビス軸心
３ｃ  第１面
３ｄ  第２面
４  配線ボックス
５  ボックス本体
５ａ  器具取付部
５ｂ  ビス挿入孔
５ｃ  収容部
６  ビス固定具
６ａ  弾性片
６ｂ  係止部
６ｈ  側板部
６ｉ  連結板部
６ｊ  基体
６ｋ  通孔
１０  配線ボックス装置
Ｐ  挿入方向
Ｑ  抜け方向
Ａ１  ビスねじ山の第１面の角度
Ａ２  ビスねじ山の第２面の角度
Ａ３  弾性片の角度
【図１】
0005236252.tif 000002
【図２】
0005236252.tif 000003
【図３】
0005236252.tif 000004
【図４】
0005236252.tif 000005
【図５】
0005236252.tif 000006
【図６】
0005236252.tif 000007
【図７】
0005236252.tif 000008
【図８】
0005236252.tif 000009
【図９】
0005236252.tif 000010
【図１０】
0005236252.tif 000011
【図１１】
0005236252.tif 000012